(57)【要約】【課題】一般的に、白内障の場合はその進行度合によって色の感度が異なる。また、ユーザ自身は自分がどの程度の白内障であるのかを認識できていないことも考えられる。本発明の目的は、特に白内障の進行度合に応じた輝度調整を行い、ユーザが自身の白内障の進行度合を把握していない場合であっても進行度合を判断して輝度調整を行うことが可能なディスプレイ装置を提供することにある。【解決手段】輝度を調整するための輝度調整部と、白内障の進行度合を示す情報を取得して色を指定する色指定部と、指定された色のみについて輝度を高くするように輝度調整部を制御する輝度制御部と、を有するディスプレイ装置を提案する。【選択図】図１
2009025761.tif 000002
【特許請求の範囲】
【請求項１】
輝度を調整するための輝度調整部と、
白内障の進行度合を示す情報を取得して色を指定する色指定部と、
指定された色のみについて輝度を高くするように輝度調整部を制御する輝度制御部と、
を有するディスプレイ装置。
【請求項２】
ユーザに白内障の進行度合を選択入力させるための選択入力部を有し、
色指定部は、白内障の進行度合を示す情報として選択入力部にて入力された白内障の進行度合を利用する請求項１に記載のディスプレイ装置。
【請求項３】
色見本を画面出力し、問いに応じてユーザに色見本を選択させることで白内障の進行度合を示す情報を生成し、色指定部に出力する白内障進行度合情報出力部と、
をさらに有する請求項１又は２に記載のディスプレイ装置。
【請求項４】
白内障進行度合情報出力部は、色見本として青系統色および緑系統色の画面出力をする青緑出力手段を有する請求項３に記載のディスプレイ装置。
【請求項５】
白内障進行度合情報出力部は、
色見本として青系統色の画面出力のみをする青出力手段と、
青出力手段にて出力された色見本を用いたユーザの色見本選択結果から緑系統色の色見本を用いずに緑系統色に対する白内障の進行度合を示す情報である間接情報を生成し、色指定部に出力する間接手段と、
をさらに有する請求項３に記載のディスプレイ装置。
【請求項６】
指定された色のみについて輝度を高くするように輝度調整部を制御するためのユーザ制御入力を受付けるユーザ制御入力部をさらに有し、
ユーザ制御入力部に対して入力されたユーザ制御入力は輝度制御部での制御に優先して輝度調整部を制御するように構成されている請求項１から５のいずれか一に記載のディスプレイ装置。
【請求項７】
白内障進行度合情報出力部で生成した白内障の進行度合を示す情報を画面出力するための画面出力部をさらに有する請求項３から６のいずれか一に記載のディスプレイ装置。
【請求項８】
白内障の進行度合を示す情報を取得して色を指定する色指定ステップと、
指定された色のみについて輝度を高くするように輝度を調整する輝度調整ステップと、
を有する輝度調整方法。
【請求項９】
色見本を画面出力し、問いに応じてユーザに色見本を選択させることで白内障の進行度合を示す情報を生成する白内障進行度合情報生成ステップと、をさらに有し、
前記色指定ステップは、白内障進行度合情報生成ステップにて生成された白内障の進行度合を示す情報を取得する請求項８に記載の輝度調整方法。
【発明の詳細な説明】
【技術分野】
【０００１】
ユーザの白内障の進行度合に応じて輝度を調整することを特徴とするディスプレイ装置に関する。
【背景技術】
【０００２】
従来、一般的に視聴者の視聴環境などに合わせて画像を出力するためのディスプレイ装置の輝度や色彩を調整することが行われていた。例えば、特許文献１においては、視覚機能の低下した高齢者が利用する画像表示装置であって、画像表示を行う際に利用者の状態に応じて画像補整を行うことを特徴とする画像表示装置が開示されている。また、非特許文献１においては、白内障が進行するにつれて青の感度が低下し、さらに緑の感度も低下することが記載されている。
【特許文献１】特開平１０−３１９９２９号公報
【非特許文献１】友田  ▲樺▼夫、外２名、"紫外線と老人性白内障水晶体の着色現象について"、[online]、国立情報学研究所、[平成１９年６月１８日検索]、インターネット＜http://ci.nii.ac.jp/naid/110003658751/＞
【発明の開示】
【発明が解決しようとする課題】
【０００３】
非特許文献に示されているように、白内障の場合はその進行度合によって色の感度が異なる。また、ユーザ自身は自分がどの程度の白内障であるのかを認識できていないことも考えられる。特許文献１においては、画像データの輝度や色彩を調整することが記載されているが、白内障の進行度合に応じて輝度調整を行うことは記述されておらず、白内障の進行度合を特定する方法についても触れられていない。特に一般的な民生機器において白内障患者の視覚上の色の感度に応じて容易に画質設定する方法が望まれていた。本発明の目的は、特に白内障の進行度合に応じた輝度調整を行い、ユーザが自身の白内障の進行度合を把握していない場合であっても進行度合を判断して輝度調整を行うことが可能なディスプレイ装置を提供することにある。
【課題を解決するための手段】
【０００４】
上記の課題を解決するために、本明細書においては以下の第一の発明から第七の発明を提案する。
【０００５】
第一の発明は、輝度を調整するための輝度調整部と、白内障の進行度合を示す情報を取得して色を指定する色指定部と、指定された色のみについて輝度を高くするように輝度調整部を制御する輝度制御部と、を有するディスプレイ装置である。
【０００６】
第二の発明は、第一の発明にかかり、ユーザに白内障の進行度合を選択入力させるための選択入力部を有し、色指定部は、白内障の進行度合を示す情報として選択入力部にて入力された白内障の進行度合を利用するディスプレイ装置である。
【０００７】
第三の発明は、第一又は第二の発明にかかり、色見本を画面出力し、問いに応じてユーザに色見本を選択させることで白内障の進行度合を示す情報を生成し、色指定部に出力する白内障進行度合情報出力部と、をさらに有するディスプレイ装置である。
【０００８】
第四の発明は、第三の発明にかかり、白内障進行度合情報出力部は、色見本として青系統色および緑系統色の画面出力をする青緑出力手段を有するディスプレイ装置である。
【０００９】
第五の発明は、第三の発明にかかり、白内障進行度合情報出力部は、色見本として青系統色の画面出力のみをする青出力手段と、青出力手段にて出力された色見本を用いたユーザの色見本選択結果から緑系統色の色見本を用いずに緑系統色に対する白内障の進行度合を示す情報である間接情報を生成し、色指定部に出力する間接手段と、をさらに有するディスプレイ装置である。
【００１０】
第六の発明は、第一から第五の発明のいずれか一の発明にかかり、指定された色のみについて輝度を高くするように輝度調整部を制御するためのユーザ制御入力を受付けるユーザ制御入力部をさらに有し、ユーザ制御入力部に対して入力されたユーザ制御入力は輝度制御部での制御に優先して輝度調整部を制御するように構成されているディスプレイ装置である。
【００１１】
第七の発明は、第三から第六の発明のいずれか一の発明にかかり、白内障進行度合情報出力部で生成した白内障の進行度合を示す情報を画面出力するための画面出力部をさらに有するディスプレイ装置である。
【００１２】
図１は、本件発明に係るディスプレイ装置の概念図である。ディスプレイ装置のディスプレイ（０１０２）にはユーザ（０１０１）の白内障の進行度合を判断するためのテスト画面（色見本）が表示され、ユーザ（０１０１）がリモコン（０１０３）等を使用してこのテスト画面の質問に答えることで白内障の進行度合を判断することができる。ユーザの白内障の進行度合を判断した後は、白内障の進行度合に応じてディスプレイ（０１０２）の輝度調整を行う。また、ユーザ（０１０１）が自身の白内障の進行度合を知っている場合には、ユーザに進行度合を尋ねる質問をディスプレイ（０１０２）に表示して答えさせてもよい。その場合には、ユーザの回答によって得た白内障の進行度合に応じて輝度調整を行う。
【発明の効果】
【００１３】
本発明においては、ユーザの白内障の進行度合に応じてディスプレイの輝度調整を行うにより白内障患者であっても容易に色の感度について補正ができ、最適な画質による視聴を可能とするものである。また、ユーザが自身の白内障の進行度合を知らなくとも、進行度合を判断するための色見本を表示することにより白内障の進行度合を容易に判断して輝度調整を行うことができる。ひいては、白内障の進行度合を測定するためのツールにもなりうる。
【発明を実施するための最良の形態】
【００１４】
本発明を実施するための最良の形態について図面を用いて詳細に説明する。なお、本発明はこれら実施の形態に何ら限定されるものではなく、その要旨を逸脱しない範囲において、種々なる態様で実施しうる。実施形態１は、主に請求項１、８などについて説明する。実施形態２は、主に請求項２などについて説明する。実施形態３は、主に請求項３、９などについて説明する。実施形態４は、主に請求項４などについて説明する。実施形態５は、主に請求項５などについて説明する。実施形態６は、主に請求項６などについて説明する。実施形態７は、主に請求項７などについて説明する。
（実施形態１）
【００１５】
（実施形態１：概要）本実施形態は、輝度を調整するための輝度調整部と、白内障の進行度合を示す情報を取得して色を指定する色指定部と、指定された色のみについて輝度を高くするように輝度調整部を制御する輝度制御部と、を有するディスプレイ装置について説明する。
【００１６】
（実施形態１：構成）本実施形態に係るディスプレイ装置の機能ブロック図を図２に例示する。ディスプレイ装置（０２００）は、「輝度調整部」（０２０１）と、「色指定部」（０２０２）と、「輝度制御部」（０２０３）と、を有する。
【００１７】
なお、以下に詳述する本発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。（明細書の全体を通じて同様である。）
【００１８】
「輝度調整部」（０２０１）は、輝度を調整するための機能を有する。「輝度を調整する」とは、ディスプレイの表示設定における輝度調整を行うという意味である。また、輝度調整部は後述する輝度制御部（０２０３）によって制御される。
【００１９】
「色指定部」（０２０２）は、白内障の進行度合を示す情報を取得して色を指定する。一般的に、白内障の進行度合は４段階に分類できることが知られている。つまり、これに準じるならば「白内障の進行度合を示す情報」とは、この４段階のレベルを示す情報等が該当する。また、白内障の進行度合を示す情報は外部から取得される場合もあるし、内部の他の処理機構から取得される場合もあり得る。例えばユーザに白内障の進行度合を入力させてもよいし、後述するように白内障の進行度合を判断するための色見本を出力して進行度合を判断するようになっていてもよい。また、非特許文献１にも記載されているように、各進行度合での水晶体の吸収スペクトルも知られている。これによれば、白内障が進行するにつれて青の感度が低下し、さらに進行すると緑の感度も低下することが分かっている。これらの情報によって、例えば図３に示すように各進行度合においてＲ（赤）、Ｇ（緑）、Ｂ（青）の三原色のうち、青と緑についてデフォルトの設定に対してどれくらい輝度を高くすればよいかを決定することができる。図３において、「青レベル」はB（青）についてどれだけ輝度を高めるべきかの比率を示し、「緑レベル」とはG（緑）についての当該比率を示す。また、図３においてはレベル１からレベル４にいくにつれて白内障の進行度合が高くなっている。例えば、レベル１では緑の感度はそれほど低下していないため、主に青の輝度を高くするように設定されており、レベル４では青の感度が低下し、さらに緑の感度も低下しているので、青と緑の両方の輝度を高めるように設定されている。なお、図３においては白内障の進行度合が４段階になっているが、より細かく設定されていてもよいし、より大まかに設定されていてもよい。
【００２０】
また、このような調整を行う場合の各表示色における出力レベル（輝度）を表したグラフが図４のグラフである。グラフ０４０１は健常者の場合の出力レベルを示しており、グラフ０４０２は白内障の進行度合がレベル１である場合、グラフ０４０３は白内障の進行度合がレベル４である場合を示す。レベル１の場合には、前述したように主には青の輝度のみ高めればよいのでグラフ０４０２の青（波長４５０ｎｍ（ナノメートル））の出力レベルがグラフ０４０１よりも高くなっているのが分かる。また、レベル４の場合には、前述したように青のみならず緑の輝度も高める必要があるのでグラフ０４０３では青と緑（波長５５０ｎｍ）の出力レベルも高くなっている。また、色指定部の機能として「色を指定する」とは、一のみの色を指定する意味ではなく、例えば図４に示すように、取得された白内障の進行度合を示す情報がレベル１を示していれば青（波長４５０ｎｍ）から緑（波長５５０ｎｍ）にかけての色が指定され、レベル４を示していれば青（波長４５０ｎｍ）から赤（波長７００ｎｍ）にかけての色が指定されることになる。また、色が指定される場合、色で指定されてもよいが波長で指定されてもよい。さらに、図３に示したように青レベルと緑レベルの調整度合（％）の組合せによって表されてもよい。青レベルと緑レベルの調整度合が分かれば、調整されるべき色が決定されるからである。
【００２１】
「輝度制御部」（０２０３）は、指定された色のみについて輝度を高くするように輝度調整部を制御する機能を有する。「指定された色」とは、色指定部（０２０２）にて指定された色を指す。すなわち、輝度制御部は図３に示すような情報に基づいて、決定される色について所定のレベルだけ輝度を高くするように制御する役目を果たす。また、輝度を高くすることによって、輝度レベルの上限に達してしまうような場合は、各色の輝度比率をそのままに全体のレベルを下げることによって輝度の飽和を防いでもよい。
【００２２】
（実施形態１：ハードウェア上における処理）図５は、本実施形態に係るディスプレイ装置のハードウェア上における処理の具体例を示す。まず、ディスプレイ装置は、図３に例示したような情報（調整テーブル：０５０１）をハードディスクや半導体メモリ等の記憶装置に保持している。また、輝度を調整するための調整プログラム（０５０２）も記憶装置に保持している。この調整テーブルと調整プログラムは実行されるためにメインメモリに展開される。ここで、ユーザがディスプレイ装置のボタンやディスプレイ装置を操作するリモコンのボタン等のユーザインタフェースを介して白内障の進行度合を示す情報（進行度合情報：０５０３）を入力することで、進行度合情報（０５０３）が取得されたとすると、取得された進行度合情報（０５０３）はメインメモリに格納される。この進行度合情報（０５０３）と調整テーブル（０５０１）に基づいて、調整プログラム（０５０２）によりディスプレイ（０５０４）の輝度の調整が実行される。
【００２３】
なお、図５を用いて説明したハードウェア上の処理はあくまで処理の概要を説明するものである。（明細書の全体を通じて同様である。）
【００２４】
（実施形態１：処理の流れ）図６は、本実施形態に係るディスプレイ装置における処理の流れを示すフロー図を例示する。
【００２５】
まず、白内障の進行度合を示す情報を取得する（Ｓ０６０１）。次に、輝度を調整する色を指定する（Ｓ０６０２）。次に、指定された色のみについて輝度を高くするように輝度を調整する（Ｓ０６０３）。
【００２６】
なお、図６のフロー図は、計算機に実行させるプログラムの処理フロー図とみなすことも可能である。さらに、このようなプログラムをフレキシブルディスク等の媒体に記録することも可能である。（明細書の全体を通じて同様である。）
【００２７】
（実施形態１：効果）本実施形態に係るディスプレイ装置によれば、ユーザの白内障の進行度合に応じてディスプレイの輝度調整を行うことができる。
（実施形態２）
【００２８】
（実施形態２：概要）本実施形態は、ユーザに白内障の進行度合を選択入力させるための選択入力部を有し、色指定部は、白内障の進行度合を示す情報として選択入力部にて入力された白内障の進行度合を利用するディスプレイ装置について説明する。
【００２９】
（実施形態２：構成）本実施形態に係るディスプレイ装置の機能ブロック図を図７に例示する。ディスプレイ装置（０７００）は、「輝度調整部」（０２０１）と、「色指定部」（０２０２）と、「輝度制御部」（０２０３）と、「選択入力部」（０７０１）と、を有する。「選択入力部」（０７０１）以外の構成については前述した通りであるので、ここでの説明は省略する。なお、本明細書中の機能ブロック図においては、同じ構成要件には同一の符号を付して表している。
【００３０】
「選択入力部」（０７０１）は、ユーザに白内障の進行度合を選択入力させるための機能を有する。具体的には、例えばユーザに白内障の進行度合を選択入力させるための設定画面を提供するアプリケーションを備え、設定画面では白内障の４つのレベルのうち、一のレベルを選択できるようになっている場合などが考えられる。ユーザは設定画面を見ながらディスプレイ装置のキー等やディスプレイ装置を操作するためのリモコンのボタン等を操作することで、自身の白内障の進行度合を選択入力することができる。ただしユーザが自身の白内障の進行度合を把握していない場合もあり得るため、その場合には、例えば設定画面にて進行度合は不明である旨を選択入力することができるようになっており、その旨が選択入力された場合には、後述するように色見本を画面出力して進行度合を判断するようになっていてもよい。また、色指定部（０２０２）は、白内障の進行度合を示す情報として選択入力部（０７０１）にて入力された白内障の進行度合を利用することを特徴とする。
【００３１】
（実施形態２：ハードウェア上における処理）本実施形態に係るディスプレイ装置のハードウェア上における処理は図５にて説明した処理と同様である。
【００３２】
（実施形態２：処理の流れ）図８は、本実施形態に係るディスプレイ装置における処理の流れを示すフロー図を例示する。
【００３３】
まず、ユーザからの白内障の進行度合の入力を受け付ける（Ｓ０８０１）。次に、白内障の進行度合を示す情報を取得する（Ｓ０８０２）。次に、輝度を調整する色を指定する（Ｓ０８０３）。次に、指定された色のみについて輝度を高くするように輝度を調整する（Ｓ０８０４）。
【００３４】
（実施形態２：効果）本実施形態に係るディスプレイ装置によれば、ユーザが自身の白内障の進行度合を把握している場合には進行度合を判断するためのテスト等を実行せずに輝度調整を行うことができる。
（実施形態３）
【００３５】
（実施形態３：概要）本実施形態は、色見本を画面出力し、問いに応じてユーザに色見本を選択させることで白内障の進行度合を示す情報を生成し、色指定部に出力する白内障進行度合情報出力部をさらに有するディスプレイ装置について説明する。
【００３６】
（実施形態３：構成）本実施形態に係るディスプレイ装置の機能ブロック図を図９に例示する。ディスプレイ装置（０９００）は、「輝度調整部」（０２０１）と、「色指定部」（０２０２）と、「輝度制御部」（０２０３）と、「白内障進行度合情報出力部」（０９０１）と、を有する。なお、ディスプレイ装置（０９００）は、さらに選択入力部を有していてもよい。「白内障進行度合情報出力部」（０９０１）以外の構成については前述した通りであるので、ここでの説明は省略する。
【００３７】
「白内障進行度合情報出力部」（０９０１）は、色見本を画面出力し、問いに応じてユーザに色見本を選択させることで白内障の進行度合を示す情報を生成し、色指定部に出力する。「色見本」とは、ユーザの白内障の進行度合を判断するための色見本である。図１０は、色見本の画面出力の具体例である。図１０においては、画面上に複数の四角形（１００１、１００２、１００３、１００４）を示しているが、四角形１００１は白色であり、四角形１００２から四角形１００４に向けては徐々に青色の割合をふやした色となっている。このような色見本をユーザに表示し、いずれの四角形が最も白く見えるかを選択させる。白内障を罹患していないユーザは四角形１００１を選択するはずであるが、白内障を罹患しているユーザは青みがかった四角形１００２、１００３、１００４のいずれかを選択する。なぜならば、白内障患者の場合には白色のバランスがずれていることが一般的に分かっており、図１０に例示する色見本はこの点を利用して白内障の進行度合を判断するものだからである。つまり、ユーザがいずれの四角形を選択したかによって、その選択された四角形の青色の割合からユーザの白内障の進行度合を判断することができる。本発明のディスプレイ装置は、白内障患者の水晶体は青や緑を吸収するため、その吸収される分、輝度を高めて表示するわけである。また、図１０に例示するような色見本は各四角形が図３に例示した各レベルに対応していてもよい。この場合はユーザが選択した一の四角形が白内障のレベルそのものを示していることになる。すなわち、白内障進行度合情報出力部は、例えばユーザがリモコンのボタン等を操作することで選択した四角形を示す操作信号を取得し、この操作信号からユーザの白内障の進行度合を示す情報を生成して出力する。なお、出力された情報は色指定部（０２０２）にて取得されて色を指定するために利用される。
【００３８】
（実施形態３：ハードウェア上における処理）図１１は、本実施形態に係るディスプレイ装置のハードウェア上における処理の具体例を示す。まず、ディスプレイ装置は、図３に例示したような情報（調整テーブル：１１０１）をハードディスクや半導体メモリ等の記憶装置に保持している。また、輝度を調整するための調整プログラム（１１０２）も記憶装置に保持している。さらに、図１０に例示したような色見本データ（１１０４）と、色見本を画面出力し、問いに応じてユーザに色見本を選択させることで白内障の進行度合を示す情報を生成し出力するための出力プログラム（１１０３）も記憶装置に保持している。この調整テーブル、調整プログラム、出力プログラムは実行されるためにメインメモリに展開される。また、展開された出力プログラムによって、色見本データ（１１０４）に基づきＶｉｄｅｏ  ＲＡＭ（ＶＲＡＭ）にて描画データ（１１０５）が生成されて、ディスプレイ（１１０７）へ画面出力される。ここで、ユーザがディスプレイ装置のボタンやディスプレイ装置を操作するリモコンのボタン等により色見本を選択することで、これらのユーザインタフェースを介して選択信号（１１０６）が取得され、メインメモリに格納される。取得された選択信号に基づき出力プログラムにて白内障の進行度合を示す情報（進行度合情報）が生成され、生成された進行度合情報と調整テーブル（１１０１）に基づいて、調整プログラム（１１０２）によりディスプレイ（１１０７）の輝度の調整が実行される。
【００３９】
（実施形態３：処理の流れ）図１２は、本実施形態に係るディスプレイ装置における処理の流れを示すフロー図を例示する。
【００４０】
まず、色見本を画面出力する（Ｓ１２０１）。次に、問いに応じたユーザからの色見本の選択を受け付ける（Ｓ１２０２）。次に、白内障の進行度合を示す情報を生成する（Ｓ１２０３）。次に、生成された白内障の進行度合を示す情報を取得する（Ｓ１２０４）。次に、輝度を調整する色を指定する（Ｓ１２０５）。次に、指定された色のみについて輝度を高くするように輝度を調整する（Ｓ１２０６）。
【００４１】
（実施形態３：効果）本実施形態に係るディスプレイ装置によれば、ユーザが自身の白内障の進行度合を把握していない場合であっても、色見本を出力して白内障の進行度合を判断することにより、ユーザの白内障の進行度合に応じた輝度調整を行うことができる。
（実施形態４）
【００４２】
（実施形態４：概要）本実施形態は、白内障進行度合情報出力部は、色見本として青系統色および緑系統色の画面出力をする青緑出力手段を有するディスプレイ装置について説明する。
【００４３】
（実施形態４：構成）本実施形態に係るディスプレイ装置の機能ブロック図を図１３に例示する。ディスプレイ装置（１３００）は、「輝度調整部」（０２０１）と、「色指定部」（０２０２）と、「輝度制御部」（０２０３）と、「白内障進行度合情報出力部」（０９０１）と、を有する。また、白内障進行度合情報出力部（０９０１）は、「青緑出力手段」（１３０１）を有する。なお、ディスプレイ装置（１３００）は、さらに選択入力部を有していてもよい。「青緑出力手段」（１３０１）以外の構成については前述した通りであるので、ここでの説明は省略する。
【００４４】
「青緑出力手段」（１３０１）は、色見本として青系統色および緑系統色の画面出力をする。白内障は、進行度合が低いうちは主に青の感度が低下し、進行度合が高くなると青の感度のみならず緑の感度も低下することが分かっているため、白内障の進行度合に応じて、青と緑の輝度を調整することになる。図１４を用いて、青緑出力手段における処理について説明する。まず、図１４（ａ）に示すように、背景が黒色の画面上に「ＡＢＣ」という文字が表示される。この文字は最初は無調整の青色で表示されるが（１４０１）、ユーザがテスト開始ボタン（１４０２）をクリック等すると、図１４（ｂ）に示すように「ＡＢＣ」の文字の青レベルが徐々に低下していく（暗い色になっていく）（１４０３）とともに「テスト開始」のボタン表示は「テスト終了」（１４０４）に変化する。ユーザは文字を視認できなくなった時点でテスト終了のボタン（１４０４）をクリック等する。この時点での青レベルを半導体メモリ等の一時記憶メモリに保存しておく。また、このようなテストを緑色についても同様に行い、ユーザがテスト終了ボタン（１４０４）をクリック等した時の緑レベルを一時記憶メモリに保存しておく。このようにして得られた青レベルと緑レベルから図３に例示した情報を参照して当該ユーザの白内障のレベルを判断し、白内障の進行度合を示す情報を生成して出力することができる。
【００４５】
（実施形態４：ハードウェア上における処理）本実施形態に係るディスプレイ装置のハードウェア上における処理は、図１１にて説明した処理と同様である。ただし、色見本データとして青系統色および緑系統色の色見本データをディスプレイに出力することを特徴とする。
【００４６】
（実施形態４：処理の流れ）本実施形態に係るディスプレイ装置における処理の流れは、図１２にて説明した処理の流れと同様である。ただし、色見本として青系統色および緑系統色の画面出力を行うことを特徴とする。
【００４７】
（実施形態４：効果）本実施形態に係るディスプレイ装置によれば、ユーザが自身の白内障の進行度合を把握していない場合であっても、青系統色および緑系統色の色見本を出力して白内障の進行度合を判断することにより、ユーザの白内障の進行度合に応じた輝度調整を行うことができる。
（実施形態５）
【００４８】
（実施形態５：概要）本実施形態は、白内障進行度合情報出力部は、色見本として青系統色の画面出力のみをする青出力手段と、青出力手段にて出力された色見本を用いたユーザの色見本選択結果から緑系統色の色見本を用いずに緑系統色に対する白内障の進行度合を示す情報である間接情報を生成し、色指定部に出力する間接手段と、をさらに有するディスプレイ装置について説明する。
【００４９】
（実施形態５：構成）本実施形態に係るディスプレイ装置の機能ブロック図を図１５に例示する。ディスプレイ装置（１５００）は、「輝度調整部」（０２０１）と、「色指定部」（０２０２）と、「輝度制御部」（０２０３）と、「白内障進行度合情報出力部」（０９０１）と、を有する。また、白内障進行度合情報出力部（０９０１）は、「青出力手段」（１５０１）と、「間接手段」（１５０２）と、を有する。なお、ディスプレイ装置（１５００）は、さらに選択入力部を有していてもよい。「青出力手段」（１５０１）と「間接手段」（１５０２）以外の構成については前述した通りであるので、ここでの説明は省略する。
【００５０】
「青出力手段」（１５０１）は、色見本として青系統色の画面出力のみをする。例えば、図１４にて説明した色見本の出力例では青系統色と緑系特色の双方について色見本を出力することを述べたが、青出力手段においては青系統色の画面出力のみを行う。なぜならば、青系統色について色見本を出力することにより青系統色について当該ユーザの調整レベルが判断された後、図３の調整テーブルを参照することで、当該ユーザの白内障の進行度合を判断することができるからである。言い換えると、青レベルが決定されると緑レベルも決定されることになり、つまり図４にも示すように一の白内障の進行度合においては青レベルと緑レベルの関係はある関数で表されるからである。これにより、緑系統色の色見本を出力して図１４に例示したようなテストを実行する手間を省くことができる。
【００５１】
「間接手段」（１５０２）は、青出力手段にて出力された色見本を用いたユーザの色見本選択結果から緑系統色の色見本を用いずに緑系統色に対する白内障の進行度合を示す情報である間接情報を生成し、色指定部に出力する。具体的には、例えば図１４のように青系統色についての色見本を画面出力し、その結果、当該ユーザの青レベルについて「５％」という青レベルが得られたとする。この青レベルについて図３の調整テーブルを参照すると、当該ユーザの白内障の進行度合は「レベル１」であることが判断される。よって、間接情報として「レベル１」を示す情報が生成され、色指定部に出力される。
【００５２】
（実施形態５：ハードウェア上における処理）本実施形態に係るディスプレイ装置のハードウェア上における処理は、図１１にて説明した処理と同様である。ただし、色見本データとして青系統色の色見本データのみをディスプレイに出力することを特徴とする。
【００５３】
（実施形態５：処理の流れ）本実施形態に係るディスプレイ装置における処理の流れは、図１２にて説明した処理の流れと同様である。ただし、色見本として青系統色の画面出力のみを行うことを特徴とする。
【００５４】
（実施形態５：効果）本実施形態に係るディスプレイ装置によれば、青系統色の色見本のみを出力して白内障の進行度合を判断するため、緑系統色の色見本のよるテストを省くことができる。
（実施形態６）
【００５５】
（実施形態６：概要）本実施形態は、指定された色のみについて輝度を高くするように輝度調整部を制御するためのユーザ制御入力を受付けるユーザ制御入力部をさらに有し、ユーザ制御入力部に対して入力されたユーザ制御入力は輝度制御部での制御に優先して輝度調整部を制御するように構成されているディスプレイ装置について説明する。
【００５６】
（実施形態６：構成）本実施形態に係るディスプレイ装置の機能ブロック図を図１６に例示する。ディスプレイ装置（１６００）は、「輝度調整部」（０２０１）と、「色指定部」（０２０２）と、「輝度制御部」（０２０３）と、「ユーザ制御入力部」（１６０１）と、を有する。なお、ディスプレイ装置（１６００）は、さらに選択入力部を有していてもよい。また、さらに白内障進行度合情報出力部を有していてもよい。また、白内障進行度合情報出力部を有する場合には、白内障進行度合情報出力部が青緑出力手段、もしくは青出力手段と間接手段を有していてもよい。「ユーザ制御入力部」（１６０１）以外の構成については前述した通りであるので、ここでの説明は省略する。
【００５７】
「ユーザ制御入力部」（１６０１）は、指定された色のみについて輝度を高くするように輝度調整部を制御するためのユーザ制御入力を受付ける。また、ユーザ制御入力部に対して入力されたユーザ制御入力は輝度制御部での制御に優先して輝度調整部を制御するように構成されていることを特徴とする。「ユーザ制御入力部に対して入力されたユーザ制御入力は輝度制御部での制御に優先して輝度調整部を制御する」とは、輝度制御部にて制御を行うことで輝度調整部にて輝度調整を行った後に、さらに入力されたユーザ制御入力に応じて輝度調整を行うことができることを意味する。輝度調整部における輝度調整は輝度制御部（０２０３）による制御に応じて輝度調整を行うことが基本であるが、ユーザ制御入力部による制御によってユーザにとってより見やすく微調整すること等が可能となっている。ユーザ制御入力を受け付ける方法としては、例えば輝度調整用画面をディスプレイに表示してユーザが輝度調整用画面にて変更内容をキーボードやマウス等を使用して入力し、この入力信号によって輝度調整の情報が取得される。または、輝度調整をするための輝度調整用ボタン等がディスプレイ装置に備えられており、ユーザはこの輝度調整用ボタンを操作することによって輝度調整がなされるような場合が想定される。また、ユーザ制御入力部はこのような処理を実行するためのプログラムを含んでいてもよい。
【００５８】
（実施形態６：ハードウェア上における処理）本実施形態に係るディスプレイ装置のハードウェア上における処理は、図５にて説明した処理を基本として、さらにユーザインタフェースを介して取得されたユーザ制御入力信号に応じてディスプレイの輝度調整を行うことを特徴とする。
【００５９】
（実施形態６：処理の流れ）図１７は、本実施形態に係るディスプレイ装置における処理の流れを示すフロー図を例示する。
【００６０】
まず、白内障の進行度合を示す情報を取得する（Ｓ１７０１）。次に、輝度を調整する色を指定する（Ｓ１７０２）。次に、指定された色のみについて輝度を高くするように輝度を調整する（Ｓ１７０３）。次に、ユーザ制御入力を受け付ける（Ｓ１７０４）。次に、受け付けたユーザ制御入力に応じて輝度の再調整を行う（Ｓ１７０５）。
【００６１】
（実施形態６：効果）本実施形態に係るディスプレイ装置によれば、ユーザにとってより見やすく輝度を微調整すること等が可能である。
（実施形態７）
【００６２】
（実施形態７：概要）本実施形態は、白内障進行度合情報出力部で生成した白内障の進行度合を示す情報を画面出力するための画面出力部をさらに有するディスプレイ装置について説明する。
【００６３】
（実施形態７：構成）本実施形態に係るディスプレイ装置の機能ブロック図を図１８に例示する。ディスプレイ装置（１８００）は、「輝度調整部」（０２０１）と、「色指定部」（０２０２）と、「輝度制御部」（０２０３）と、「白内障進行度合情報出力部」（０９０１）と、「画面出力部」（１８０１）と、を有する。なお、ディスプレイ装置（１８００）は、さらに選択入力部を有していてもよい。また、白内障進行度合情報出力部（０９０１）は、青緑出力手段、もしくは青出力手段と間接手段を有していてもよい。また、ディスプレイ装置（１８００）は、さらにユーザ制御入力部を有していてもよい。「画面出力部」（１８０１）以外の構成については前述した通りであるので、ここでの説明は省略する。
【００６４】
「画面出力部」（１８０１）は、白内障進行度合情報出力部で生成した白内障の進行度合を示す情報を画面出力するための機能を有する。図１９は、画面出力部による画面出力の具体例である。例えば図１４にて説明した色見本の出力画面においてユーザがテスト終了（１９０２）のボタンをクリック等すると、前述したようにその時点における青レベルと緑レベル（もしくは青レベルのみ）が取得され、図３に例示した情報を参照することによって当該ユーザの白内障のレベルが判断されて白内障の進行度合を示す情報が生成される。つまり、画面出力部ではこの生成された白内障の進行度合を示す情報を画面出力する。なお、色見本の出力画面は図１０に例示したような色見本であってもよい。また、進行度合を示す情報を出力する画面と色見本の画面は別々であってもよい。「白内障の進行度合を示す情報」の表示方法は様々に考えられる。例えば、図３の情報を参照することによって得られたレベルそのものを表示してもよいし、図１９のメッセージ１９０１に示すように、レベルそのものでなく、レベルに応じて「軽度の白内障」、「中度の白内障」、「重度の白内障」などという表現で表示してもよい。すなわち、ユーザが白内障の進行度合を大まかにでも把握できるような情報で表示する場合も含む。
【００６５】
（実施形態７：ハードウェア上における処理）本実施形態に係るディスプレイ装置のハードウェア上における処理は、図１１にて説明した処理を基本として、さらに出力プログラムによって進行度合情報が生成された後、進行度合情報を画面出力するための描画データがＶｉｄｅｏ  ＲＡＭにて生成されてディスプレイに出力される。
【００６６】
（実施形態７：処理の流れ）図２０は、本実施形態に係るディスプレイ装置における処理の流れを示すフロー図を例示する。
【００６７】
まず、色見本を画面出力する（Ｓ２００１）。次に、問いに応じたユーザからの色見本の選択を受け付ける（Ｓ２００２）。次に、白内障の進行度合を示す情報を生成する（Ｓ２００３）。次に、生成された白内障の進行度合を示す情報を画面出力する（Ｓ２００４）。次に、生成された白内障の進行度合を示す情報を取得する（Ｓ２００５）。次に、輝度を調整する色を指定する（Ｓ２００６）。次に、指定された色のみについて輝度を高くするように輝度を調整する（Ｓ２００７）。なお、ステップＳ２００４の処理は、ステップＳ２００５、Ｓ２００６、Ｓ２００７のいずれかの処理の後に実行されてもよい。
【００６８】
（実施形態７：効果）本実施形態に係るディスプレイ装置によれば、色見本の画面出力によって生成された白内障の進行度合を示す情報を画面出力することにより、ユーザに白内障の進行度合を知らせることができる。
【図面の簡単な説明】
【００６９】
【図１】本件発明に係るディスプレイ装置の概念図
【図２】実施形態１に係るディスプレイ装置の機能ブロック図
【図３】白内障の度合に応じた青（Ｂ）と緑（Ｇ）の調整度合を示す一例図
【図４】各表示色における出力レベル（輝度）を表したグラフ図
【図５】実施形態１、２、６に係るディスプレイ装置のハードウェア上における処理動作の一例図
【図６】実施形態１に係るディスプレイ装置の処理の流れを示すフロー図
【図７】実施形態２に係るディスプレイ装置の機能ブロック図
【図８】実施形態２に係るディスプレイ装置の処理の流れを示すフロー図
【図９】実施形態３に係るディスプレイ装置の機能ブロック図
【図１０】色見本の画面出力の具体例
【図１１】実施形態３、４、５、７に係るディスプレイ装置のハードウェア上における処理動作の一例図
【図１２】実施形態３に係るディスプレイ装置の処理の流れを示すフロー図
【図１３】実施形態４に係るディスプレイ装置の機能ブロック図
【図１４】青緑出力手段による画面出力の具体例
【図１５】実施形態５に係るディスプレイ装置の機能ブロック図
【図１６】実施形態６に係るディスプレイ装置の機能ブロック図
【図１７】実施形態６に係るディスプレイ装置の処理の流れを示すフロー図
【図１８】実施形態７に係るディスプレイ装置の機能ブロック図
【図１９】画面出力部による画面出力の具体例
【図２０】実施形態７に係るディスプレイ装置の処理の流れを示すフロー図
【符号の説明】
【００７０】
０１０１  ユーザ
０１０２  ディスプレイ
０１０３  リモコン
【図１】
2009025761.tif 000003
【図２】
2009025761.tif 000004
【図３】
2009025761.tif 000005
【図４】
2009025761.tif 000006
【図５】
2009025761.tif 000007
【図６】
2009025761.tif 000008
【図７】
2009025761.tif 000009
【図８】
2009025761.tif 000010
【図９】
2009025761.tif 000011
【図１０】
2009025761.tif 000012
【図１１】
2009025761.tif 000013
【図１２】
2009025761.tif 000014
【図１３】
2009025761.tif 000015
【図１４】
2009025761.tif 000016
【図１５】
2009025761.tif 000017
【図１６】
2009025761.tif 000018
【図１７】
2009025761.tif 000019
【図１８】
2009025761.tif 000020
【図１９】
2009025761.tif 000021
【図２０】
2009025761.tif 000022